【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
選択された出力ボリュームを検出する選択されたボリューム検出器と、
アナログ出力信号増幅器と、
デジタルボリューム増幅器と、
前記選択されたボリューム検出器と前記アナログ出力信号増幅器と前記デジタルボリューム増幅器とに結合されるブースト利得制御要素と、
を含む装置であって、
前記ブースト利得制御要素が、前記デジタルボリューム増幅器と前記アナログ出力信号増幅器との経路の利得を実質的に一定に保つように構成され、
前記ブースト利得制御要素が、前記デジタルボリューム増幅器と前記アナログ出力信号増幅器との前記経路の前記利得を実質的に一定に且つ前記選択された出力ボリュームに等しく保つために、
（ａ）前記デジタルボリューム制御の利得と、
（ｂ）前記アナログ出力信号増幅器の利得と、
の両方を調節することができ、
前記ブースト利得制御要素が、
前記選択された出力ボリュームを閾値と比較し、
前記選択された出力ボリュームが前記閾値を下回る場合に、前記ブースト利得制御要素が、前記デジタルボリューム増幅器と前記アナログ出力信号増幅器との前記経路の前記利得を実質的に一定に且つ前記選択された出力ボリュームに等しく保つために、（ａ）前記デジタルボリューム増幅器のデジタルボリュームを上向きに調節することと、（ｂ）前記増幅器のボリュームを下向きに調節することと、が可能である、
ように更に構成される、装置。
【請求項２】
請求項１に記載の装置であって、
前記ブースト利得制御要素が、
前記選択されたボリュームを閾値と比較し、
振幅の所与のボリュームが前記閾値を上回る場合に、前記ブースト利得制御要素が、前記デジタルボリューム増幅器と前記アナログ出力信号増幅器との前記経路の前記利得を実質的に一定に且つ前記選択された出力ボリュームに等しく保つために、（ａ）前記デジタルボリューム増幅器のデジタルボリュームを下向きに調節することと、（ｂ）前記増幅器のボリュームを上向きに調節することと、が可能である、
ように更に構成される、装置。
【請求項３】
請求項１に記載の装置であって、
デジタルシグナルプロセッサを更に含み、
前記デジタルシグナルプロセッサの出力が前記デジタルボリューム増幅器の入力に結合される、装置。
【請求項４】
請求項１に記載の装置であって、
前記アナログ出力信号増幅器が「クラスＧ」チャージポンプである、装置。
【請求項５】
請求項１に記載の装置であって、
前記選択されたボリューム検出器が、選択されたボリューム信号を受け取るデジタルシグナルプロセッサに結合される、装置。
【請求項６】
請求項１に記載の装置であって、
ブーストモードの閾値が実質的に１８デシベルの増幅であり、
前記デジタルボリューム増幅器のダイナミックレンジが実質的に１２ｄＢの増加であり、
前記ブースト利得制御要素により調節されるような前記アナログ出力信号増幅器のダイナミックレンジが実質的にマイナス１２ｄＢである、装置。
【請求項７】
請求項６に記載の装置であって、
前記デジタルボリューム増幅器のユニティ増幅と１２ｄＢ値との間に遷移期間があり、実質的１ｄＢで前記デジタルボリューム増幅器の遷移が変化する、装置。
【請求項８】
選択された出力オーディオ信号ボリュームを検出する選択されたボリューム検出器と、
アナログ出力信号増幅器と、
デジタルボリューム増幅器と、
前記選択されたボリューム検出器と前記アナログ出力信号増幅器と前記デジタルボリューム増幅器とに結合されるボースト利得制御要素と、
を含む装置であって、
前記ブースト利得制御要素が、前記デジタルボリューム増幅器と前記アナログ出力信号増幅器との経路の利得を実質的に一定に保つように構成され、
前記ブースト利得制御要素が、前記デジタルボリューム増幅器と前記アナログ出力信号増幅器との前記経路の利得を実質的に一定にかつ前記選択された出力ボリュームに等しく保つために、前記デジタルボリューム増幅器の利得と前記アナログ出力信号増幅器の利得との両方を調整でき、
前記ブースト利得制御要素が、
前記選択された出力ボリュームを閾値と比較し、
前記選択された出力ボリュームが前記閾値を下回る場合に、前記ブースト利得制御要素が、前記デジタルボリューム増幅器と前記アナログ出力信号増幅器との前記経路の前記利得を実質的に一定に且つ前記選択された出力ボリュームに等しく保つために、（ａ）前記デジタルボリューム増幅器のデジタルボリュームを上向きに調節することと、（ｂ）前記増幅器のボリュームを下向きに調節することと、が可能である、
ように更に構成される、装置。
【請求項９】
請求項８に記載の装置であって、
前記ブースト利得制御要素が、
前記選択されたボリュームを閾値と比較し、
振幅の所与のボリュームが前記閾値を上回る場合に、前記ブースト利得制御要素が、前記デジタルボリューム増幅器と前記アナログ出力信号増幅器との前記経路の前記利得を実質的に一定に且つ前記選択された出力ボリュームに等しく保つために、（ａ）前記デジタルボリューム増幅器のデジタルボリュームを下向きに調節することと、（ｂ）前記増幅器のボリュームを上向きに調節することと、が可能である、
ように更に構成される、装置。
【請求項１０】
請求項８に記載の装置であって、
デジタルシグナルプロセッサを更に含み、
前記デジタルシグナルプロセッサの出力が前記デジタルボリューム増幅器の出力に結合される、装置。
【請求項１１】
請求項８に記載の装置であって、
前記アナログ出力信号増幅器が「クラスＧ」チャージポンプである、装置。
【請求項１２】
請求項８に記載の装置であって、
前記選択されたボリューム検出器が、選択されたボリューム信号を受信するデジタルシグナルプロセッサに結合され、装置。
【請求項１３】
選択されたオーディオ出力ボリュームがボリューム閾値より大きいか否か判定することと、
前記選択されたオーディオ出力ボリュームが前記ボリューム閾値より大きい場合に、デジタル増幅器の利得を増大させることと、
前記選択されたオーディオ出力ボリュームが前記ボリューム閾値より大きくない場合に、アナログ出力信号増幅器の利得を低減させることと、
を含む方法であって、
前記デジタル増幅器と前記アナログ出力信号増幅器との経路の利得が実質的に一定であり、前記選択されたオーディオ出力ボリュームに等しくしようとする、方法。
【請求項１４】
請求項１３に記載の方法であって、
前記選択されたオーディオ出力ボリュームでオーディオストリームを再生することを更に含む、方法。
【請求項１５】
請求項１３に記載の方法であって、
前記選択されたオーディオ出力ボリュームが前記ボリューム閾値より大きくない場合に、前記デジタル増幅器の利得が前記デジタル増幅器の許容可能な利得より大きいか否か判定することを更に含む、方法。
【請求項１６】
請求項１３に記載の方法であって、
第１の時間の経過の間に前記オーデイォ出力ボリュームが前記ボリューム閾値より小さいか否か判定することと、
第２の時間経過の後の中で前記デジタル増幅器と前記アナログ出力信号増幅器との少なくとも一方の更新が生じるか否かを判定することと、
を更に含む、方法。
【請求項１７】
請求項１３に記載の方法であって、
前記選択されたオーディオ出力ボリュームが「クラスＧ」チャージポンプの補助により発生される、方法。
【請求項１８】
請求項１７に記載の方法であって、
前記選択されたオーディオ出力ボリュームでオーディオストリームを再生することを更に含む、方法。